(57)【要約】【課題】携帯端末におけるファックスの送信に関する操作性を向上させる。【解決手段】携帯端末１０２は、ファックスを送信する宛先を示す宛先情報を設定し、ファックスの送信、及びファックスで送信する原稿の読み取りに関する読取送信情報を設定し、ファックスを送信するリクエストを画像形成装置に送信し、画像形成装置からファックスの送信が可能であることが応答された場合に、原稿をセットするようにユーザに指示する内容を表示部に表示し、原稿がセットされたことを検知し、ユーザによりファックスを送信する指示を受け付けると、宛先情報、及び読取送信情報とともに、原稿を読み取り、ファックスを送信する指示を画像形成装置に送信し、ファックスの送信が指示された画像形成装置のファックスの送信結果を表示部に表示する。【選択図】図７
2018057039.tif 000002
【特許請求の範囲】
【請求項１】
画像形成装置と通信可能な携帯端末であって、
ファックスを送信する宛先を示す宛先情報を設定する宛先設定手段と、
ファックスの送信、及びファックスで送信する原稿の読み取りに関する読取送信情報を設定する読取送信設定手段と、
ファックスを送信するリクエストを前記画像形成装置に送信するリクエスト送信手段と、
前記リクエスト送信手段により前記リクエストが送信された画像形成装置からファックスの送信が可能であることが応答された場合に、前記画像形成装置へ前記原稿をセットするようにユーザに指示する内容を表示部に表示する原稿セット指示表示手段と、
前記画像形成装置に前記原稿がセットされたことを検知し、前記ユーザによりファックスを送信する指示を受け付けると、前記宛先設定手段により設定された宛先情報、及び前記読取送信設定手段により設定された前記読取送信情報とともに、前記原稿を読み取り、ファックスを送信する指示を前記画像形成装置に送信する指示送信手段と、
前記指示送信手段によりファックスの送信が指示された前記画像形成装置のファックスの送信結果を前記表示部に表示する送信結果表示手段と
を備えたことを特徴とする携帯端末。
【発明の詳細な説明】
【技術分野】
【０００１】
本発明は、携帯端末、画像形成装置及びその制御方法、並びにプログラム、通信システムに関する。
【背景技術】
【０００２】
近年、大画面の表示部とタッチパネルが備わったスマートフォンやタブレットＰＣ、ＰＤＡなど携帯性と操作性に優れた携帯端末が普及している。これら携帯端末は、電話帳を内蔵しており、１つの氏名に対して、例えば、自宅電話番号、携帯電話番号、会社ＦＡＸ番号などの複数の情報を記憶できるようになっている。
【０００３】
これら携帯端末に記憶されている情報を、ユーザの負担を少なくしながらＭＦＰでＦＡＸ送信を行う際に利用する技術が開示されている（例えば、特許文献１参照）。
【０００４】
特許文献１には、携帯端末に記憶されているアドレス帳の連絡先をＭＦＰへ送信し、携帯端末から受信した連絡先情報をＭＦＰで解析して、受け取った連絡先に応じてＦＡＸ送信やメール送信を行う通信システムの構成が示されている。ここで、連絡先情報とは電話番号、ＦＡＸ番号、またはメールアドレスである。
【先行技術文献】
【特許文献】
【０００５】
【特許文献１】特開２００３−３１９０９３号公報
【発明の概要】
【発明が解決しようとする課題】
【０００６】
しかしながら、上記従来技術において、携帯端末から連絡先情報を受け取ったＭＦＰは、連絡先情報の種類応じて送信種類を選択するが、送信に関する詳細な設定を携帯端末から受信できないという課題がある。つまり、ユーザはより詳細な送信設定を行う機会が与えられということになる。
【０００７】
また、ＭＦＰの操作パネルにて予め送信設定を入力する場合、操作パネルの表示部が小さく表示情報量が少ないＭＦＰでは、設定を行うにも操作性が悪いという課題がある。
【０００８】
本発明の目的は、携帯端末におけるファックスの送信に関する操作性を向上させた携帯端末、画像形成装置及びその制御方法、並びにプログラム、通信システムを提供することにある。
【課題を解決するための手段】
【０００９】
上記目的を達成するために、請求項１の携帯端末は、画像形成装置と通信可能な携帯端末であって、ファックスを送信する宛先を示す宛先情報を設定する宛先設定手段と、ファックスの送信、及びファックスで送信する原稿の読み取りに関する読取送信情報を設定する読取送信設定手段と、ファックスを送信するリクエストを前記画像形成装置に送信するリクエスト送信手段と、前記リクエスト送信手段により前記リクエストが送信された画像形成装置からファックスの送信が可能であることが応答された場合に、前記画像形成装置へ前記原稿をセットするようにユーザに指示する内容を表示部に表示する原稿セット指示表示手段と、前記画像形成装置に前記原稿がセットされたことを検知し、前記ユーザによりファックスを送信する指示を受け付けると、前記宛先設定手段により設定された宛先情報、及び前記読取送信設定手段により設定された前記読取送信情報とともに、原稿を読み取り、ファックスを送信する指示を前記画像形成装置に送信する指示送信手段と、前記指示送信手段によりファックスの送信が指示された前記画像形成装置のファックスの送信結果を前記表示部に表示する送信結果表示手段とを備えたことを特徴とする。
【発明の効果】
【００１０】
本発明によれば、携帯端末においてファックスの送信、及びファックスで送信する原稿の読み取りに関する読取送信情報を設定することが可能となるので、携帯端末におけるファックスの送信に関する操作性を向上させることができる。
【図面の簡単な説明】
【００１１】
【図１】本発明の実施の形態に係る通信システムの概略構成を示す図である。
【図２】図１におけるＭＦＰの概略構成を示す図である。
【図３】図１における携帯端末の概略構成を示す図である。
【図４】図１における携帯端末の画面例を示す図である。
【図５】モバイルＦＡＸアプリケーションによる画面例を示す図である。
【図６】モバイルＦＡＸアプリケーションによる画面例を示す図である。
【図７】ＭＦＰ及び携帯端末により実行される基本処理の手順を示すフローチャートである。
【図８】図７におけるステップＳ１３１８のリクエスト応答処理の手順を示すフローチャートである。
【図９】図７におけるステップＳ１３０９の原稿検知フラグチェック処理の手順を示すフローチャートである。
【図１０】図７におけるステップＳ１３２２の送信処理の手順を示すフローチャートである。
【図１１】図１０におけるステップＳ１８１５のオートリダイヤル処理の手順を示すフローチャートである。
【図１２】図７におけるステップＳ１３１３のステータスチェック処理の手順を示すフローチャートである。
【図１３】ＮＦＣ機能を用いることなくＭＦＰ及び携帯端末により実行される基本処理の手順を示すフローチャートである。
【発明を実施するための形態】
【００１２】
以下、本発明の実施の形態について図面を参照しながら詳述する。
【００１３】
図１は、本発明の実施の形態に係る通信システム１００の概略構成を示す図である。
【００１４】
図１において、通信システム１００は、画像形成装置であるＭＦＰ１０１、携帯端末１０２、及びＰＣ１０７で構成され、それらはネットワーク１０５により接続されている。携帯端末１０２は、ネットワーク１０５に設けられたアクセスポイント１０３により無線ＬＡＮ１０４でネットワーク１０５に接続している。
【００１５】
また、ＭＦＰ１０１は、ＮＦＣ（Near Field Communication）タグ１０６が設けられ、ＮＦＣ搭載機器との通信が可能となっている。さらに、ＭＦＰ１０１は公衆回線網１０８とのインタフェースも持ち、公衆回線網１０８を介して接続されたＦＡＸ装置１０９とＦＡＸ送受信が可能となっている。
【００１６】
本実施の形態では、無線ＬＡＮ１０４とネットワーク１０５を介してＭＦＰ１０１と携帯端末１０２とが互いに通信可能となっており、連携して動作するようになっている。
【００１７】
なお、図１において、ＭＦＰ１０１は、ネットワーク１０５に有線接続している形態となっているが、無線接続するようにしてもよい。この場合、アクセスポイント１０３によりネットワーク１０５に接続することとなる。
【００１８】
図２は、図１におけるＭＦＰ１０１の概略構成を示す図である。
【００１９】
図２において、ＭＦＰ１０１は、コントローラボード３００、スキャナ３０９、プリンタエンジン３０７、操作パネル３１２、及びＮＦＣアンテナ３１４で構成されている。
【００２０】
このうち、スキャナ３０９は原稿の読み取りを行い、プリンタエンジン３０７は、印刷データの用紙への印刷を行い、操作パネル３１２は、各種設定操作、及びアラーム等の表示を行う。
【００２１】
また、スキャナには原稿検知を行う原稿検知センサ３２０が接続されている。原稿検知センサ３２０は、圧板部（原稿台スキャナ部）とＡＤＦ（Auto Document Feeder）部とを備えている。
【００２２】
圧板部の場合、原稿台ガラスに原稿が置かれた場合に、原稿が置かれたことを検知して、スキャナ３０９へ通知する。ＡＤＦ部の場合、フィーダーに原稿が置かれた場合に、原稿が置かれたことを検知してスキャナ３０９へ通知する。
【００２３】
コントローラボード３００におけるＣＰＵ３０１はＭＦＰ１０１全体を制御する。ＲＯＭ３０３はブートＲＯＭであり、ＭＦＰ１０１のブートプログラムが記憶されている。
【００２４】
ＲＡＭ３０２は、ＣＰＵ３０１が動作するためのシステムワークメモリであり、ＣＰＵ３０１の演算データや各種プログラムが記憶される。またＲＡＭ３０２は、印刷時等に画像処理部３０５で種々の画像処理を施された画像データを記憶する画像メモリとしても利用される。
【００２５】
記憶装置３０４は、サイズの大きなプログラムやデータを記憶しておくための不揮発の２次記憶装置であり、記憶してあるサイズの大きなプログラムやデータはＲＡＭ３０２に展開して使用される。
【００２６】
スキャナインタフェース３０８は、スキャナ３０９とデータ通信を行うためのインタフェースである。エンジンインタフェース３０６は、プリンタエンジン３０７とデータ通信を行うためのインタフェースである。
【００２７】
ＦＡＸインタフェース３１８は、モジュラージャックを介し、公衆回線網１０８に接続され、ＦＡＸ装置１０９とＦＡＸ送受信を行う。
【００２８】
ネットワークインタフェース３１７は、ＬＡＮインタフェースコネクタを介し、ネットワーク１０５に接続し、ＰＣ１０７及び携帯端末１０２とネットワーク通信を行う。上述したように無線接続する場合には、無線ＬＡＮインタフェース３１０によりＰＣ１０７、アクセスポイント１０３、及び携帯端末１０２とネットワーク通信を行う。
【００２９】
ＵＳＢインタフェース３１５は、ＵＳＢコネクタを介し、他の装置とＵＳＢ通信を行う。図２では、ＰＣ３１６とローカル接続している。
【００３０】
ＮＦＣコントローラ３１３は、ＮＦＣアンテナ３１４を介し、ＮＦＣを搭載した携帯端末とＮＦＣ通信を行う。
【００３１】
以上説明したコントローラボード３００における各部及び操作パネル３１２は、バス３１９により接続されている。
【００３２】
図３は、図１における携帯端末１０２の概略構成を示す図である。
【００３３】
図３において、携帯端末１０２は、コントローラボード４００、表示部４０６、タッチパネル４０８、キー４０９、及びＮＦＣアンテナ４１４で構成される。
【００３４】
表示部４０６は、表示コントローラ４０５により各種表示が行われ、タッチパネル４０８、及びキー４０９は操作部コントローラ４０７により各種制御が行われる。ユーザは、表示部４０６に表示されるメニューやボタンに対して、タッチパネル４０８を指などでスライドやタッチをする事でメニューのスクロールやボタンの押下などの指示を与えることができる。
【００３５】
コントローラボード４００におけるＣＰＵ４０１は携帯端末１０２全体を制御する。ＲＯＭ４０３はブートＲＯＭであり、携帯端末１０２のブートプログラムが記憶されている。
【００３６】
ＲＡＭ４０２は、ＣＰＵ４０１が動作するためのシステムワークメモリであり、ＣＰＵ４０１の演算データや各種プログラムが記憶される。記憶装置４０４は、サイズの大きなプログラムやデータを記憶しておくための不揮発の２次記憶装置であり、記憶してあるサイズの大きなプログラムやデータはＲＡＭ４０２に展開して使用される。
【００３７】
無線ＬＡＮインタフェース４１０は、無線ＬＡＮアンテナ４１１を介し、無線ＬＡＮによりアクセスポイント１０３に接続し、外部との無線ＬＡＮ通信を行う。通話部４１２は、図示しないマイクやスピーカと接続され、公衆回線に接続し、電話としての機能を提供する。ＮＦＣコントローラ４１３は、ＮＦＣアンテナ４１４を介し、ＮＦＣを搭載した機器とＮＦＣ通信を行う。
【００３８】
なお、本実施の形態においては、携帯端末１０２の一例としてスマートフォンを用いて説明するが、スマートフォンに限らず、上述した構成のうちで通話部４１２を除いたタブレットなどの携帯可能な端末であっても本実施の形態を適用可能である。
【００３９】
図４は、図１における携帯端末１０２の画面例を示す図である。
【００４０】
図４（Ａ）は、電話帳アプリケーションの連絡先一覧画面を示す図である。電話帳アプリケーションには、電話番号、携帯電話番号、ＦＡＸ番号、メールアドレス等の情報を登録名称毎に登録することができる。
【００４１】
図４（Ａ）において、連絡先一覧画面５０１は、検索入力部５０２と、登録名称表示部５０３で構成されており、ユーザは登録名称を検索したり、一覧表示の中から選択したりできるようになっている。登録名称を選択すると、その登録名称で登録されている連絡先が一覧表示される。
【００４２】
図４（Ｂ）は、一覧表示例である。図４（Ｂ）において、登録名称６０１が高橋太郎であり、この登録名称に対して電話番号６０２、携帯電話番号６０３、ＦＡＸ番号６０４、メールアドレス携帯６０５、及びメールアドレス会社６０６が登録されている。
【００４３】
ユーザは、その中から連絡先を選択することができるようになっている。ＦＡＸ番号６０４を選択した場合は、モバイルＦＡＸアプリケーションが起動し、ＭＦＰ１０１と連携してＦＡＸ送信を行うことができるようになっている。
【００４４】
図４（Ｃ）は、ＭＦＰ連携アプリケーションのトップ画面を示す図である。
【００４５】
図４（Ｃ）に示されるトップ画面には、モバイルＦＡＸボタン７０１及びモバイルＳｃａｎボタン７０２とが表示されている。
【００４６】
本実施の形態では、携帯端末１０２とＭＦＰ１０１とが連携してＦＡＸ送信を行うモバイルＦＡＸアプリケーションについて説明する。
【００４７】
図５、図６は、モバイルＦＡＸアプリケーションによる画面例を示す図である。
【００４８】
ユーザが、図４（Ｃ）に示す画面において、モバイルＦＡＸボタン７０１を押下すると、図５（Ａ）に示されるモバイルＦＡＸアプリケーションの設定画面が表示される。
【００４９】
この設定画面では、宛先など設定可能な項目が表示され、タッチパネルの操作で各項目を設定できるようになっている。
【００５０】
具体的には、宛先選択ボタン８０１、解像度設定ボタン８０２、濃度設定ボタン８０３、両面設定ボタン８０４、及びシャープネス設定ボタン８０５が表示される。
【００５１】
このうち、宛先選択ボタン８０１を押下すると、図５（Ｂ）の宛先設定方法選択画面が表示され、これはユーザにより宛先設定方法を選択するための画面である。この画面において、電話帳参照ボタン８０７を選択すると、図４（Ａ）に示した電話帳アプリケーションの画面から宛先を選択することができる。また、番号を手入力で設定することも、履歴を参照して宛先を選択することもできるようになっている。
【００５２】
図５（Ａ）に戻り、解像度設定ボタン８０２には、解像度の候補が表示され、変更したい場合にはボタンを押下することで別の候補も含めた画面に切り替わり、その中からユーザが解像度を選択することができる。
【００５３】
解像度を変更しない場合は、解像度設定ボタン８０２に表示されている設定値２００×１００ｄｐｉで設定される。解像度を変更した場合は、解像度設定ボタン８０２に変更した設定値が表示され、その設定値で設定される。
【００５４】
濃度設定ボタン８０３、両面設定ボタン８０４、及びシャープネス設定ボタン８０５も同様の操作で設定値を変更することができる。
【００５５】
次へボタン８０６を押下することで、各項目が設定され、図５（Ｃ）に示される画面が表示される。
【００５６】
図５（Ｃ）は、ＭＦＰ選択画面を示す図である。この画面には次の処理へ進むメッセージの表示９０１と、処理を中止するためにキャンセルボタン９０２が表示される。
【００５７】
次の処理へ進むために、ＭＦＰ１０１のＮＦＣタグ１０６にユーザが携帯端末１０２をタッチすると、図５（Ｄ）に示される画面が表示される。
【００５８】
図５（Ｄ）は、アラーム表示画面を示す図である。この画面は、ＭＦＰ１０１と携帯端末１０２が連携するための準備を行っていることを示している。
【００５９】
次に、ＭＦＰ１０１と携帯端末１０２が連携する準備ができると、図６（Ａ）に示される画面が表示される。
【００６０】
図６（Ａ）は、原稿セット指示画面を示す図である。この画面は、原稿をセットするようにユーザに指示する画面である。この画面には、次の処理へ進むメッセージの表示１００１と、処理を中止するためにキャンセルボタン１００２が表示される。
【００６１】
ＭＦＰ１０１に原稿がセットされると、図６（Ｂ）に示される画面が表示される。
【００６２】
図６（Ｂ）は、スキャン開始の指示を受け付けるスキャン開始指示画面を示す図である。この画面には、次の処理へ進むメッセージの表示１１０１と、スキャン開始を指示するためのスキャン開始ボタン１１０２と、処理を中止するためにキャンセルボタン１１０３とが表示される。
【００６３】
この画面において、スキャン開始ボタン１１０２が押下されると、図６（Ｃ）に示される画面が表示される。
【００６４】
図６（Ｃ）は、ＭＦＰ１０１のステータスを示す画面である。この画面には、ＭＦＰ１０１のステータスを表すメッセージの表示１２０１と、送信の中止を指示するために送信中止ボタン１２０２とが表示される。
【００６５】
図７は、ＭＦＰ１０１及び携帯端末１０２により実行される基本処理の手順を示すフローチャートである。
【００６６】
図７における携帯端末１０２の処理Ｓ１３０１〜Ｓ１３１４は、図３に示したコントローラボード４００のＲＯＭ４０３、記憶装置４０４、ＲＡＭ４０２のいずれかに記憶されたプログラムに基づき、ＣＰＵ４０１によって実行される。
【００６７】
また、ＭＦＰ１０１の処理Ｓ１３１５〜Ｓ１３２３は、図２に示したコントローラボード３００のＲＯＭ３０３、記憶装置３０４、ＲＡＭ３０２のいずれかに記憶されたプログラムに基づき、ＣＰＵ３０１によって実行される。
【００６８】
まず、ＭＦＰ１０１は主電源がＯＮされると、コントローラボード３００のＲＯＭ３０３に記憶されたプログラムに基づきＣＰＵ３０１がＭＦＰ１０１を起動させる（ステップＳ１３１５）。
【００６９】
続いて、ＮＦＣタグ１０６に自機のネットワークのアドレスとしてＩＰアドレスを書き込む（ステップＳ１３１６）。具体的には、ＮＦＣコントローラ３１３内部に備わる不揮発性メモリＥＥＰＲＯＭなどに自機のＩＰアドレスを記憶する。
【００７０】
一方、携帯端末１０２では、モバイルＦＡＸを行うためにモバイルＦＡＸアプリケーションを起動する（ステップＳ１３０１）。
【００７１】
起動されたモバイルＦＡＸアプリケーションは、図５（Ａ）で示した設定画面を表示する。ここで宛先がユーザにより選択されることで宛先情報の設定がされ（ステップＳ１３０２）、送信や原稿読取設定が行われる（ステップＳ１３０３）。上記ステップＳ１３０２は、ファックスを送信する宛先を示す宛先情報を設定する宛先設定手段に対応する。また、上記ステップＳ１３０３は、ファックスの送信、及びファックスで送信する原稿の読み取りに関する読取送信情報を設定する読取送信設定手段に対応する。
【００７２】
さらに、図５（Ａ）に示されるように、原稿の読み取りに関する設定は、解像度設定、濃度設定、両面設定、及びシャープネス設定が可能となっている。これら設定は例示列挙であり、例示したうちの少なくとも１つが設定可能であってもよいし、例示した以外の設定が可能であってもよい。
【００７３】
設定画面において次へボタン８０６が押下されると、図５（Ｃ）で示したＭＦＰ選択画面を表示する（ステップＳ１３０４）。図中の端子Ｂについては後述する。
【００７４】
次いで、携帯端末１０２のＮＦＣコントローラ４１３をリーダモードで起動させる（ステップＳ１３０５）。
【００７５】
ユーザは原稿をスキャンしてＦＡＸ送信を行うＭＦＰ１０１を選択するため、携帯端末１０２をＭＦＰ１０１のＮＦＣタグ１０６に近づけることで、携帯端末１０２は、ＮＦＣの通信可能範囲内に入る。
【００７６】
これにより、ＭＦＰ１０１は、近距離無線通信とは異なる、無線ＬＡＮ１０４とネットワーク１０５による通信を行うためのアドレスを転送することで提供し（ステップＳ１３１７）、携帯端末１０２はＮＦＣリーダでＭＦＰ１０１のＮＦＣタグ１０６から情報を取得する（ステップＳ１３０６）。上記ステップＳ１３１７は提供手段に対応する。
【００７７】
そして、携帯端末１０２のＮＦＣコントローラ４１３で取得した情報からＭＦＰ１０１のＩＰアドレスを抽出する（ステップＳ１３０７）。上記ステップＳ１３０６，１３０７は、ユーザにより携帯端末が画像形成装置と近距離無線通信により通信が可能な範囲に近づけられた場合に、当該画像形成装置から、近距離無線通信によって近距離無線通信とは異なる通信を行うためのアドレスを取得する取得手段に対応する。そして、取得されたアドレスを用いて画像形成装置と通信する。
【００７８】
携帯端末１０２は、抽出したＩＰアドレスにアクセスし、ＭＦＰ１０１に対してモバイルＦＡＸのリクエストを送信する（ステップＳ１３０８）。このとき、ＭＦＰ１０１が有線接続していれば、携帯端末１０２から無線ＬＡＮインタフェース４１０を介して、アクセスポイント１０３とネットワーク１０５を経由してＭＦＰ１０１へリクエストが送信される。上記ステップＳ１３０８は、画像形成装置にファックスを送信するリクエストを送信するリクエスト送信手段に対応する。
【００７９】
一方、ＭＦＰ１０１が無線接続していれば、携帯端末１０２から無線ＬＡＮインタフェース４１０を介して、アクセスポイント１０３に送信され、受信したアクセスポイント１０３からＭＦＰ１０１にリクエストが送信される。
【００８０】
リクエストを受信したＭＦＰ１０１は、リクエストに対して応答を携帯端末１０２へ返信するリクエスト応答処理を行う（ステップＳ１３１８）。このリクエスト応答処理の詳細については後述する。そして、ＭＦＰ１０１は、ＡＤＦ部、または圧板部に原稿がセットされると（ステップＳ１３１９でＹＥＳ）、原稿検知フラグをセットする（ステップＳ１３２０）。
【００８１】
ＭＦＰ１０１からリクエストに対する応答を受信した携帯端末１０２は、原稿検知フラグがＭＦＰ１０１にセットされたか否かをチェックする原稿フラグチェック処理を行う（ステップＳ１３０９）。この原稿フラグチェック処理の詳細については後述する。
【００８２】
ＭＦＰ１０１に原稿がセットされると、携帯端末１０２の表示部４０６に、図６（Ｂ）で示したスキャン開始指示画面を表示する（ステップＳ１３１０）。このスキャン開始指示画面でスキャン開始ボタン１１０２が押下されると（ステップＳ１３１１でＹＥＳ）、ＭＦＰ１０１にスキャン指示が送信される（ステップＳ１３１２）。このステップＳ１３１２は、画像形成装置に原稿がセットされたことを検知し、ユーザによりファックスを送信する指示（スキャン指示）を受け付けると、宛先情報、及び読取送信情報とともに、原稿を読み取り、ファックスを送信する指示を画像形成装置に送信する指示送信手段に対応する。
【００８３】
ＭＦＰ１０１はスキャン指示を受信すると（ステップＳ１３２１でＹＥＳ）、原稿をスキャンして、ＦＡＸ送信を行う送信処理を行う（ステップＳ１３２２）。この送信処理の詳細については後述する。その後、ＭＦＰ１０１は、送信処理の結果に応じて送信履歴を記憶し（ステップＳ１３２３）、本処理を終了する。
【００８４】
一方、ＭＦＰ１０１にスキャン指示を送信した携帯端末１０２は、ＭＦＰ１０１が送信完了したか、エラーで終了したかのステータスをチェックするステータスチェック処理を行う（ステップＳ１３１３）。このステータスチェック処理の詳細については後述する。
【００８５】
ステータスチェック処理の結果に応じて携帯端末１０２は、送信履歴を記憶し（ステップＳ１３１４）、本処理を終了する。
【００８６】
図８は、図７におけるステップＳ１３１８のリクエスト応答処理の手順を示すフローチャートである。
【００８７】
図８において、ＭＦＰ１０１がリクエストを受信すると（ステップＳ１７０１でＹＥＳ）、自機にＦＡＸ機能があるか否か判別する（ステップＳ１７０２）。上記ステップＳ１７０１は、ファックスを送信するリクエストを携帯端末から受信するリクエスト受信手段に対応する。
【００８８】
ステップＳ１７０２の判別の結果、ＦＡＸ機能がある場合には（ステップＳ１７０２でＹＥＳ）、受信したリクエストに対する応答を返信する（ステップＳ１７０３）。このステップＳ１７０３は、携帯端末に、ファックスの送信が可能であることを応答するリクエスト応答手段に対応する。
【００８９】
応答を返信した後は、原稿検知センサ３２０で原稿がセットされたか否かの監視を開始して（ステップＳ１７０４）、本処理を終了する。
【００９０】
一方、ステップＳ１７０２の判別の結果、自機にＦＡＸ機能がない場合には（ステップＳ１７０２でＮＯ）、モバイルＦＡＸ機能が無いことを示す情報を応答として携帯端末１０２へ返信して（ステップＳ１７０５）、図７で示した基本処理を終了する。
【００９１】
以上説明したリクエスト応答処理でのステップＳ１７０３で単にモバイルＦＡＸのリクエストに対応可能であると応答するのではなく、自機のＦＡＸ送信に関する能力をリクエストの応答と合わせて返信するようにしてもよい。
【００９２】
具体的には、自機で設定可能なＦＡＸ送信機能例えば、ＥＣＭ送信の有／無、解像度の選択肢、ＡＤＦ両面読取の可／否、などを携帯端末１０２へ返信する。
【００９３】
また、ＭＦＰ１０１のＦＡＸ送信機能の情報を受け取った携帯端末１０２は、予めユーザが選択した設定内容と、ＭＦＰ１０１から受け取った設定可能な設定内容との比較を行う。
【００９４】
ＭＦＰ１０１で設定できない項目が携帯端末１０２にて設定されていた場合は、ユーザに設定の変更を求めるメッセージを表示する。或いは、ユーザが設定した内容に一番近い設定へ自動で変更するとしてもよい。
【００９５】
これにより、予め携帯端末１０２でユーザが設定した設定内容が実際にＦＡＸ送信するＭＦＰ１０１で設定できないケースをカバーすることができる。
【００９６】
図９は、図７におけるステップＳ１３０９の原稿検知フラグチェック処理の手順を示すフローチャートである。
【００９７】
図９において、ＭＦＰ１０１からリクエストに対する応答があったか否か判別する（ステップＳ１５０１）。ステップＳ１５０１の判別の結果、リクエストに対する応答があった場合には（ステップＳ１５０１でＹＥＳ）、ＭＦＰ１０１にＦＡＸ機能があるか否か判別する（ステップＳ１５０２）。
【００９８】
ステップＳ１５０２の判別の結果、ＦＡＸ機能がない場合には（ステップＳ１５０２でＮＯ）、携帯端末１０２の表示部４０６に選択したＭＦＰにはＦＡＸ機能が無いメッセージを表示し（ステップＳ１５０９）、図７の端子Ｂに進む。
【００９９】
一方、ステップＳ１５０２の判別の結果、ＦＡＸ機能がある場合には（ステップＳ１５０２でＹＥＳ）、携帯端末１０２の表示部４０６に、原稿をＭＦＰ１０１にセットするよう指示する図６（Ａ）で示したメッセージを表示する（ステップＳ１５０３）。このステップＳ１５０３は、リクエストが送信された画像形成装置からファックスの送信が可能であることが応答された場合に、画像形成装置へ原稿をセットするようにユーザに指示する内容を表示部４０６に表示する原稿セット指示表示手段に対応する。
【０１００】
続いて、ＭＦＰ１０１に対して原稿検知フラグをチェックするために、その問い合わせを定期的に行う原稿検知フラグをポーリングする（ステップＳ１５０４）。そして、ポーリングに対して応答があったか否か判別する（ステップＳ１５０５）。
【０１０１】
ステップＳ１５０５の判別の結果、応答があった場合には（ステップＳ１５０５でＹＥＳ）、原稿検知フラグがセットされていたか否か判別する（ステップＳ１５０６）。
【０１０２】
ステップＳ１５０６の判別の結果、原稿検知フラグがセットされていない場合には（ステップＳ１５０６でＮＯ）、ステップＳ１５０４に戻る。
【０１０３】
一方、ステップＳ１５０６の判別の結果、原稿検知フラグがセットされていた場合には（ステップＳ１５０６でＹＥＳ）、携帯端末１０２の表示部４０６に原稿がセットされたことを示す図６（Ｂ）で示したメッセージを表示して（ステップＳ１５０７）、本処理を終了する。
【０１０４】
ステップＳ１５０５に戻り、ステップＳ１５０５の判別の結果、応答がない場合には（ステップＳ１５０５でＮＯ）、タイムアウトになったか否か判別する（ステップＳ１５１０）。ステップＳ１５１０の判別の結果、タイムアウトにはなっていない場合には（ステップＳ１５１０でＮＯ）、ステップＳ１５０５に戻る。
【０１０５】
一方、ステップＳ１５１０の判別の結果、タイムアウトになった場合には（ステップＳ１５１０でＹＥＳ）、ＭＦＰ１０１から応答のなかったことを表示し（ステップＳ１５１１）、図７で示した基本処理を終了する。
【０１０６】
ステップＳ１５０１に戻り、ステップＳ１５０１の判別の結果、応答がない場合には（ステップＳ１５０１でＮＯ）、タイムアウトになったか否か判別する（ステップＳ１５０８）。ステップＳ１５０８の判別の結果、タイムアウトにはなっていない場合には（ステップＳ１５０８でＮＯ）、ステップＳ１５０１に戻る。
【０１０７】
一方、ステップＳ１５０８の判別の結果、タイムアウトになった場合には（ステップＳ１５０８でＹＥＳ）、上記ステップＳ１５１１に進む。
【０１０８】
図１０は、図７におけるステップＳ１３２２の送信処理の手順を示すフローチャートである。
【０１０９】
図１０において、ＭＦＰ１０１は宛先情報、送信設定、及び読み取り設定情報などの送信設定を受信し（ステップＳ１８０１）、それらを記憶する（ステップＳ１８０２）。このステップＳ１８０１は、ファックスを送信する宛先を示す宛先情報、並びにファックスの送信、及びファックスで送信する原稿の読み取りに関する読取送信情報とともに、原稿を読み取り、ファックスを送信する指示を携帯端末から受信する指示受信手段に対応する。
【０１１０】
次いで、原稿がＡＤＦに置かれたか否か判別する（ステップＳ１８０３）。ステップＳ１８０３の判別の結果、原稿がＡＤＦに置かれた場合には（ステップＳ１８０３でＹＥＳ）、送信設定に従い、ＡＤＦスキャンを開始する（ステップＳ１８０４）。
【０１１１】
そしてスキャン処理を実行し（ステップＳ１８０５）、スキャンした画像データを１ページ分記憶する（ステップＳ１８０６）。上記ステップＳ１８０５の処理におけるＭＦＰ１０１のステータスは、スキャン中である。
【０１１２】
次いで、次ページがあるか否か判別する（ステップＳ１８０７）。ステップＳ１８０７の判別の結果、次ページがある場合には（ステップＳ１８０７でＹＥＳ）、ステップＳ１８０５に戻る。
【０１１３】
一方、ステップＳ１８０７の判別の結果、次ページがない場合には（ステップＳ１８０７でＮＯ）、公衆回線をチェックする（ステップＳ１８０８）。
【０１１４】
そして、発呼可能か否か判別する（ステップＳ１８０９）。ステップＳ１８０９の判別の結果、発呼可能ではない場合には（ステップＳ１８０９でＮＯ）、ステップＳ１８０８に戻る。
【０１１５】
一方、ステップＳ１８０９の判別の結果、発呼可能な場合には（ステップＳ１８０９でＹＥＳ）、送信設定で指定された宛先に発呼し（ステップＳ１８１０）、ＦＡＸ送信を行う（ステップＳ１８１１）。上記ステップＳ１８１１の処理におけるＭＦＰ１０１のステータスは、送信中である。
【０１１６】
次いで、ＦＡＸ送信が正常終了したか否か判別する（ステップＳ１８１２）。ステップＳ１８１２の判別の結果、正常終了した場合には（ステップＳ１８１２でＹＥＳ）、送信完了とし（ステップＳ１８１３）、本処理を終了する。上記ステップＳ１８１３の処理におけるＭＦＰ１０１のステータスとして、送信完了が設定される。
【０１１７】
一方、ステップＳ１８１２の判別の結果、正常終了しなかった場合には（ステップＳ１８１２でＮＯ）、発呼先が話し中か否か判別する（ステップＳ１８１４）。ステップＳ１８１４の判別の結果、発呼先が話し中の場合には（ステップＳ１８１４でＹＥＳ）、再び発呼するオートリダイヤル処理を行い（ステップＳ１８１５）、本処理を終了する。
【０１１８】
一方、ステップＳ１８１４の判別の結果、発呼先が話し中ではない場合には（ステップＳ１８１４でＮＯ）、エラー終了し（ステップＳ１８１６）、本処理を終了する。上記ステップＳ１８１６の処理におけるＭＦＰ１０１のステータスとして、エラー終了が設定される。上記ステップＳ１８１３，１８１６は、ファックスの送信結果を示すステータスを設定するステータス設定手段に対応する。
【０１１９】
ステップＳ１８０３に戻り、ステップＳ１８０３の判別の結果、原稿がＡＤＦに置かれていない場合には（ステップＳ１８０３でＮＯ）、送信設定に従い、ＢＯＯＫスキャンを開始する（ステップＳ１８１７）。スキャン処理を実行し（ステップＳ１８１８）、スキャンした画像データを１ページ分を記憶する（ステップＳ１８１９）。上記ステップＳ１８０５，１８１８，１８１１は、受信された読取送信情報に応じて原稿を読み取り、宛先情報が示す宛先に原稿を示すファックスを読取送信情報に応じて送信するファックス送信手段に対応する。
【０１２０】
１ページ分の記憶が完了すると、次の原稿の読み込みを指示する表示を行い（ステップＳ１８２０）、次ページがあるか否か判別する（ステップＳ１８２１）。
【０１２１】
ステップＳ１８２１の判別の結果、次ページがある場合には（ステップＳ１８２１でＹＥＳ）、ステップＳ１８１８に戻る。
【０１２２】
一方、ステップＳ１８２１の判別の結果、次ページがない場合には（ステップＳ１８２１でＮＯ）、上記ステップＳ１８０８に進む。
【０１２３】
図１１は、図１０におけるステップＳ１８１５のオートリダイヤル処理の手順を示すフローチャートである。
【０１２４】
図１１において、予め設定されているオートリダイヤル設定を読み出し（ステップＳ１９０１）、ステータスをリダイヤル待ちとし（ステップＳ１９０２）、リダイヤル待ち時間をセットする（ステップＳ１９０３）。
【０１２５】
待ち時間が経過したら（ステップＳ１９０４でＹＥＳ）、リダイヤル回数を１だけ増分し（ステップＳ１９０５）、公衆回線をチェックする（ステップＳ１９０６）。
【０１２６】
そして、発呼可能か否か判別する（ステップＳ１９０７）。ステップＳ１９０７の判別の結果、発呼可能ではない場合には（ステップＳ１９０７でＮＯ）、ステップＳ１９０６に戻る。
【０１２７】
一方、ステップＳ１９０７の判別の結果、発呼可能な場合には（ステップＳ１９０７でＹＥＳ）、送信設定で指定された宛先に発呼し（ステップＳ１９０８）、ＦＡＸ送信を行う（ステップＳ１９０９）。上記ステップＳ１９０９の処理におけるＭＦＰ１０１のステータスは、送信中である。
【０１２８】
次いで、ＦＡＸ送信が正常終了したか否か判別する（ステップＳ１９１０）。ステップＳ１９１０の判別の結果、正常終了した場合には（ステップＳ１９１０でＹＥＳ）、送信完了とし（ステップＳ１９１１）、本処理を終了する。上記ステップＳ１９１１の処理におけるＭＦＰ１０１のステータスは、送信完了である。
【０１２９】
一方、ステップＳ１９１０の判別の結果、正常終了しなかった場合には（ステップＳ１９１０でＮＯ）、発呼先が話し中か否か判別する（ステップＳ１９１２）。
【０１３０】
ステップＳ１９１２の判別の結果、発呼先が話し中ではない場合には（ステップＳ１９１２でＮＯ）、エラー終了し（ステップＳ１９１３）、本処理を終了する。上記ステップＳ１９１３の処理におけるＭＦＰ１０１のステータスは、エラー終了である。
【０１３１】
一方、ステップＳ１９１２の判別の結果、発呼先が話し中の場合には（ステップＳ１９１２でＹＥＳ）、リダイヤル回数が上限回数未満か否か判別する（ステップＳ１９１４）。
【０１３２】
ステップＳ１９１４の判別の結果、リダイヤル回数が上限回数未満の場合には（ステップＳ１９１４でＹＥＳ）、上記ステップＳ１９０２に戻る。
【０１３３】
一方、ステップＳ１９１４の判別の結果、リダイヤル回数が上限回数以上の場合には（ステップＳ１９１４でＮＯ）、上記ステップＳ１９１３に進む。
【０１３４】
図１２は、図７におけるステップＳ１３１３のステータスチェック処理の手順を示すフローチャートである。
【０１３５】
図１２において、ＭＦＰ１０１のステータスをチェックし（ステップＳ１６０１）、応答があったか否か判別する（ステップＳ１６０２）。
【０１３６】
ステップＳ１６０２の判別の結果、応答がない場合には（ステップＳ１６０２でＮＯ）、タイムアウトになったか否か判別する（ステップＳ１６０７）。ステップＳ１６０７の判別の結果、タイムアウトにはなっていない場合には（ステップＳ１６０７でＮＯ）、ステップＳ１６０２に戻る。
【０１３７】
一方、ステップＳ１６０７の判別の結果、タイムアウトになった場合には（ステップＳ１６０７でＹＥＳ）、端子Ａによって、図９のステップＳ１５１１に進む。
【０１３８】
ステップＳ１６０２に戻り、ステップＳ１６０２の判別の結果、応答があった場合には（ステップＳ１６０２でＹＥＳ）、応答からステータスを取得する（ステップＳ１６０３）。
【０１３９】
次に取得したＭＦＰ１０１のステータスを携帯端末１０２の表示部４０６に表示する（ステップＳ１６０４）。具体的にはダイヤル中／ＦＡＸ送信中といったステータスを表示する。
【０１４０】
ＦＡＸ送信が完了したか否か判別する（ステップＳ１６０５）。ステップＳ１６０５の判別の結果、ＦＡＸ送信が完了した場合には（ステップＳ１６０５でＹＥＳ）、携帯端末１０２の表示部４０６にＦＡＸ送信が完了したことを表示して（ステップＳ１６０６）、本処理を終了する。
【０１４１】
一方、ステップＳ１６０５の判別の結果、ＦＡＸ送信が完了しなかった場合には（ステップＳ１６０５でＮＯ）、エラー終了したか否か判別する（ステップＳ１６０８）。ステップＳ１６０８の判別の結果、エラー終了していない場合には（ステップＳ１６０８でＮＯ）、ステップＳ１６０１に戻る。
【０１４２】
一方、ステップＳ１６０８の判別の結果、エラー終了した場合には（ステップＳ１６０８でＹＥＳ）、携帯端末１０２の表示部４０６にＦＡＸ送信がエラー終了ことを表示して（ステップＳ１６０９）、本処理を終了する。このステップＳ１６０６，１６０９は、画像形成装置によるファックスの送信結果を表示部４０６に表示する送信結果表示手段に対応する。
【０１４３】
このように、ステータスチェック処理では、画像形成装置から取得した送信結果を示すステータスに応じて送信結果を表示する。また、ステップＳ１６０７でＮＯとなり、ステータスを取得できない場合には、端子Ａにより図９のステップＳ１５１１で画像形成装置からの応答が得られないことを表示する。
【０１４４】
以上説明した処理では、ＭＦＰ１０１にＮＦＣタグ１０６が備わっている構成について説明したが、ＭＦＰ１０１にＮＦＣタグ１０６が備わっていない構成や、携帯端末１０２にＮＦＣコントローラ４１３などが備わっていない構成もある。
【０１４５】
図１３は、ＮＦＣ機能を用いることなくＭＦＰ１０１及び携帯端末１０２により実行される基本処理の手順を示すフローチャートである。
【０１４６】
以下、主として図７で説明した基本処理と異なる点について説明する。まず、ステップＳ１４０１〜１４０３は、図７のステップＳ１３０１〜１３０３と同じである。
【０１４７】
ステップＳ１３０３の次に、設定画面において次へボタン８０６が押下されると、ＭＦＰの選択に進む（ステップＳ１４０４）。
【０１４８】
上述した構成では、携帯端末１０２とＭＦＰ１０１のＮＦＣによる近距離無線通信を行えないので、その代わりに携帯端末１０２は、ＬＡＮに接続されているＭＦＰを検索する（ステップＳ１４０５）。このステップＳ１４０５は、通信可能な画像形成装置を検索する検索手段に対応する。
【０１４９】
次いで、検索にヒットしたＭＦＰの一覧をリストにして携帯端末１０２の表示部４０６に表示する（ステップＳ１４０６）。このステップＳ１４０６は、検索された画像形成装置のリストを表示部４０６に表示するリスト表示手段に対応する。
【０１５０】
こうしてリストを表示したならば、ユーザがＦＡＸ送信を行いたいＭＦＰを選択するよう促すメッセージを表示する（ステップＳ１４０７）。
【０１５１】
次に、ユーザが選択したＭＦＰに対し、図７のステップＳ１３０８と同じく、ネットワーク１０５を介してリクエストを送信する（ステップＳ１４０８）。以降の処理フローは図７のステップＳ１３０９以降と同じである。このように、表示された画像形成装置のリストからユーザが選択した画像形成装置をファックスの送信に用いる画像形成装置とする。
【０１５２】
図１３に示した基本処理では、ＬＡＮに接続されているＭＦＰのリストからユーザが使用したいＭＦＰを選択する形態をとっている。そのため、ユーザは、使用したいと思っているＭＦＰとリストに記載されているＭＦＰとを、間違いなく一致させて選択する必要がある。しかし、ユーザによっては自身が使用したいと思っているＭＦＰの名称を知らない場合もあり、間違いなく選択することが困難なケースも考えられる。
【０１５３】
その為、図７の基本処理のようにＮＦＣを用いて１対１でＭＦＰを選択できれば、仮にＭＦＰの名称を知らない場合でもユーザは間違いなく使用したいと思ったＭＦＰを選択できる。
【０１５４】
この場合、ＮＦＣタグ１０６をＭＦＰ１０１に備えるとＭＦＰ１０１の装置コストが上がってしまうというデメリットもある。また、携帯端末１０２によってはＮＦＣ機能を備えていない場合もある。このようなデメリットの解消のため、図１３の基本処理を提案している。
【０１５５】
以上説明したように、表示部の小さいＭＦＰにて携帯端末に記憶されている連絡先へＦＡＸ送信を行う場合でも、連絡先の設定に加え、各種送信設定も携帯端末で行えるので、操作性の悪さを解消することができる。
【０１５６】
また、携帯端末においてファックスの送信、及びファックスで送信する原稿の読み取りに関する読取送信情報を設定することが可能となるので（図５（Ａ）参照）、携帯端末におけるファックスの送信に関する操作性を向上させることができる。
【０１５７】
（他の実施の形態）
本発明の目的は、上述した実施の形態で示したフローチャートの手順を実現するプログラムコードを記憶した記憶媒体から、システムあるいは装置のコンピュータまたはＣＰＵやＭＰＵが、そのプログラムコードを読出し実行することによっても達成される。
【０１５８】
この場合、記憶媒体から読み出されたプログラムコード自体が上述した実施形態の機能を実現することになる。そのため、このプログラムコード及びプログラムコードを記憶した記憶媒体も本発明の１つを構成することになる。
【０１５９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１６０】
またコンピュータが読み出したプログラムコードの指示に基づきコンピュータ上で稼動しているＯＳオペレーティングシステムなどが実際の処理の一部または全部を行い、その処理によって上述した実施形態の機能が実現されてもよい。
【０１６１】
更に、記憶媒体から読出されたプログラムコードが、コンピュータに挿入された機能拡張ボードやコンピュータに接続された機能拡張ユニットに備わるメモリに書き込みまれる場合もある。その場合でも、そのプログラムコードの指示に基づき、その機能拡張ボードや機能拡張ユニットに備わるＣＰＵなどが実際の処理の一部または全部を行い、その処理によって上述した実施形態の機能が実現される。
【符号の説明】
【０１６２】
１００  通信システム
１０１  ＭＦＰ
１０２  携帯端末
１０３  アクセスポイント
１０４  無線ＬＡＮ
１０５  ネットワーク
１０６  ＮＦＣタグ
１０７  ＰＣ
１０８  公衆回線網
１０９  ＦＡＸ装置
【図１】
2018057039.tif 000003
【図２】
2018057039.tif 000004
【図３】
2018057039.tif 000005
【図４】
2018057039.tif 000006
【図５】
2018057039.tif 000007
【図６】
2018057039.tif 000008
【図７】
2018057039.tif 000009
【図８】
2018057039.tif 000010
【図９】
2018057039.tif 000011
【図１０】
2018057039.tif 000012
【図１１】
2018057039.tif 000013
【図１２】
2018057039.tif 000014
【図１３】
2018057039.tif 000015
【手続補正書】
【提出日】平成30年1月30日(2018.1.30)
【手続補正２】
【補正対象書類名】明細書
【補正対象項目名】０００１
【補正方法】変更
【補正の内容】
【０００１】
本発明は、通信端末及びその制御方法、並びにプログラムに関する。
【手続補正３】
【補正対象書類名】明細書
【補正対象項目名】０００８
【補正方法】変更
【補正の内容】
【０００８】
本発明の目的は、通信端末におけるユーザ操作に基づき画像処理装置を介してデータを送信する際の操作性を向上させた通信端末及びその制御方法、並びにプログラムを提供することにある。
【手続補正４】
【補正対象書類名】明細書
【補正対象項目名】０００９
【補正方法】変更
【補正の内容】
【０００９】
上記目的を達成するために、請求項１の通信端末は、送信機能を有する画像処理装置と通信可能な通信端末であって、ユーザ操作に従って前記画像処理装置が前記送信機能で使用する宛先情報の設定を受け付ける受付手段と、前記受付手段によって前記宛先情報の設定を受け付けた後に、前記画像処理装置に前記通信端末を近づけることを促す情報を表示部上に表示する表示制御手段と、前記表示制御手段によって前記表示部上に前記情報が表示された後に、前記画像処理装置から近距離無線通信を用いて、前記近距離無線通信とは異なる無線通信で前記画像処理装置と通信するための接続情報を受信する受信手段と、前記受信手段によって接続情報を受信した後に、前記接続情報に基づく無線通信であって、前記近距離無線通信とは異なる無線通信を用いて、前記送信機能に関する第１の指示を前記画像処理装置に送信する送信手段と、を有し、前記表示制御手段は、前記送信手段によって前記第１の指示を送信した後に、前記宛先情報に基づく外部装置へのデータ送信を前記画像処理装置に引き起こさせるための表示アイテムを前記表示部上に表示するよう制御し、前記送信手段は、更に、前記表示アイテムを選択するユーザ操作を受け付けたことに従って、前記画像処理装置が外部装置へのデータ送信を引き起こすための情報を少なくとも含む第２の指示を前記画像処理装置に送信することを特徴とする。
【手続補正５】
【補正対象書類名】明細書
【補正対象項目名】００１０
【補正方法】変更
【補正の内容】
【００１０】
本発明によれば、通信端末において画像処理装置を介してデータを送信する際の送信情報を設定した後に、近距離無線通信を用いて使用したい画像処理装置を選択することが可能となるので、通信端末におけるユーザ操作に基づき画像処理装置を介してデータを送信する際の操作性を向上させることができる。
【手続補正６】
【補正対象書類名】特許請求の範囲
【補正対象項目名】全文
【補正方法】変更
【補正の内容】
【特許請求の範囲】
【請求項１】
送信機能を有する画像処理装置と通信可能な通信端末であって、
ユーザ操作に従って前記画像処理装置が前記送信機能で使用する宛先情報の設定を受け付ける受付手段と、
前記受付手段によって前記宛先情報の設定を受け付けた後に、前記画像処理装置に前記通信端末を近づけることを促す情報を表示部上に表示する表示制御手段と、
前記表示制御手段によって前記表示部上に前記情報が表示された後に、前記画像処理装置から近距離無線通信を用いて、前記近距離無線通信とは異なる無線通信で前記画像処理装置と通信するための接続情報を受信する受信手段と、
前記受信手段によって接続情報を受信した後に、前記接続情報に基づく無線通信であって、前記近距離無線通信とは異なる無線通信を用いて、前記送信機能に関する第１の指示を前記画像処理装置に送信する送信手段と、を有し、
前記表示制御手段は、前記送信手段によって前記第１の指示を送信した後に、前記宛先情報に基づく外部装置へのデータ送信を前記画像処理装置に引き起こさせるための表示アイテムを前記表示部上に表示するよう制御し、
前記送信手段は、更に、前記表示アイテムを選択するユーザ操作を受け付けたことに従って、前記画像処理装置が外部装置へのデータ送信を引き起こすための情報を少なくとも含む第２の指示を前記画像処理装置に送信することを特徴とする通信端末。
【請求項２】
送信機能を有する画像処理装置と通信可能な通信端末の制御方法であって、
ユーザ操作に従って前記画像処理装置が前記送信機能で使用する宛先情報の設定を受け付ける受付工程と、
前記受付工程で前記宛先情報の設定を受け付けた後に、前記画像処理装置に前記通信端末を近づけることを促す情報を表示部上に表示する第１の表示制御工程と、
前記表示部上に前記情報が表示された後に、前記画像処理装置から近距離無線通信を用いて、前記近距離無線通信とは異なる無線通信で前記画像処理装置と通信するための接続情報を受信する受信工程と、
前記受信工程で接続情報を受信した後に、前記接続情報に基づく無線通信であって、前記近距離無線通信とは異なる無線通信を用いて、前記送信機能に関する第１の指示を前記画像処理装置に送信する第１の送信工程と、
前記第１の送信工程で前記第１の指示を送信した後に、前記宛先情報に基づく外部装置へのデータ送信を前記画像処理装置に引き起こさせるための表示アイテムを前記表示部上に表示する第２の表示制御工程と、
前記表示アイテムを選択するユーザ操作を受け付けたことに従って、前記画像処理装置が外部装置へのデータ送信を引き起こすための情報を少なくとも含む第２の指示を前記画像処理装置に送信する第２の送信工程と
を有することを特徴とする制御方法。
【請求項３】
送信機能を有する画像処理装置と通信可能な通信端末のコンピュータに、
ユーザ操作に従って前記画像処理装置が前記送信機能で使用する宛先情報の設定を受け付ける受付工程と、
前記受付工程で前記宛先情報の設定を受け付けた後に、前記画像処理装置に前記通信端末を近づけることを促す情報を表示部上に表示する第１の表示制御工程と、
前記表示部上に前記情報が表示された後に、前記画像処理装置から近距離無線通信を用いて、前記近距離無線通信とは異なる無線通信で前記画像処理装置と通信するための接続情報を受信する受信工程と、
前記受信工程で接続情報を受信した後に、前記接続情報に基づく無線通信であって、前記近距離無線通信とは異なる無線通信を用いて、前記送信機能に関する第１の指示を前記画像処理装置に送信する第１の送信工程と、
前記第１の送信工程で前記第１の指示を送信した後に、前記宛先情報に基づく外部装置へのデータ送信を前記画像処理装置に引き起こさせるための表示アイテムを前記表示部上に表示する第２の表示制御工程と、
前記表示アイテムを選択するユーザ操作を受け付けたことに従って、前記画像処理装置が外部装置へのデータ送信を引き起こすための情報を含む第２の指示を前記画像処理装置に送信する第２の送信工程と
を実行させるためのプログラム。
【請求項４】
前記画像処理装置が有する前記送信機能はファクシミリ送信機能であり、前記宛先情報はファクシミリ番号であることを特徴とする請求項３に記載のプログラム。
【請求項５】
ユーザ操作に従って前記画像処理装置が原稿の読み取りに使用する読取情報を設定する設定工程を前記コンピュータに更に実行させることを特徴とする請求項３又は４に記載のプログラム。
【請求項６】
前記第２の表示制御工程では、前記第１の送信工程によって前記第１の指示を送信した後に、前記近距離無線通信とは異なる無線通信を用いて前記画像処理装置から原稿に関する情報を受信したことに少なくとも従って、前記表示アイテムを前記表示部上に表示することを特徴とする請求項３乃至５のいずれか１項に記載のプログラム。
【請求項７】
前記受付工程で、前記通信端末が備える電話帳から宛先を設定するユーザ操作を受け付けたことに従って、前記表示部に表示する画面を電話帳アプリケーションが提供する画面に遷移するよう制御する制御工程を前記コンピュータに更に実行させ、
前記受付工程では、前記電話帳アプリケーションが提供する画面を介して選択された宛先に基づいて、前記送信機能で使用する宛先情報を設定することを特徴とする請求項３乃至６のいずれか１項に記載のプログラム。
【請求項８】
前記近距離無線通信とは異なる無線通信を介して、前記画像処理装置における前記送信機能のステータス情報を問い合わせる問い合わせ工程と、
前記問い合わせの結果として得られたステータス情報に基づいて、前記表示部に前記送信機能の実行状態を示す情報を表示する第３の表示制御工程と、
を前記コンピュータに更に実行させることを特徴とする請求項３乃至７のいずれか１項に記載のプログラム。
【請求項９】
前記第３の表示制御工程では、前記ステータス情報の取得状況に少なくとも基づいて、前記送信機能の実行状態を示す情報を更新することを特徴とする請求項８に記載のプログラム。
【請求項１０】
前記第３の表示制御工程で表示しうる前記送信機能の実行状態を示す情報には、少なくとも読み取り中を示す情報、前記送信機能によってデータを送信中であることを示す情報、前記送信機能による送信が完了したことを示す情報が含まれていることを特徴とする請求項３乃至９のいずれか１項に記載のプログラム。
【請求項１１】
前記近距離無線通信は、ＮＦＣ通信であることを特徴とする請求項３乃至１０のいずれか１項に記載のプログラム。
【請求項１２】
前記表示アイテムは、送信処理を行うことを示唆する情報を含むボタンであることを特徴とする請求項３乃至１１のいずれか１項に記載のプログラム。